(57)【要約】  電子的再平衡によって、機械的効率、視聴効果および食料品を修正変更する電子部品。電子部品ｅＣＲＴはエントロピーの様に、電荷を具備した電磁量の情報の自然平衡の交換を調整する調整器である。この平衡は空気および装置周りまたは不活性製品内の、不要な電子を集積された過剰磁気量を自然に清浄化し、これらは金属部品のトラップによって吸収され吸着され捕捉される。ナノ技術は磁場の移動が電流に変換されその圧電性が振動に供給されるのを可視化することを可能とする。これらの機能は全て自然であるが、互いに関連づけられており、それらは本方法に特有の新規な機能を作り出す。ナノ技術のこの展望は、好適なスケールからの見通しを通して、大規模な不可視の解を与えることを可能とする。大気中に於けるｅＣＲＴ電子部品の音に対するアプリケーションは、圧電素子ｅＣＲＴで捕捉される音響磁気損失の最上の実証であり、これは磁場を瞬時に捕捉してその磁気情報を音響変調に基づいて電流に変換する。この音響電気変調、圧電素子の変化が、当初コイルによって失われる音の可聴機械的動きに変換される。【特許請求の範囲】
【請求項１】
機械部品内部または電気回路または電線上を循環しまたは蓄積される磁場または電子が、実時間で取り出すことを可能とする３つの相互連結された機能を有する電子部品により、圧電素子機能によって電子および電磁気的汚染を除去するために機械的振動モードに変換される方法。
【請求項２】
請求項１記載の方法において、取り出された音響磁場の変調がｅＣＲＴ電子部品によって除去され音響機械振動に変換されて、コイルにより失われる磁場音響情報の形で拡声器から失われた調和振動を復元し、これが情報を失うことの無い本方法の全ての能動的相の例であることを特徴とする、前記方法。
【請求項３】
請求項１乃至２に記載の方法において、３つの相互連結された機能が、「磁場電流」ラプラス法則により、コイルまたは圧電素子ペースト内に組み込まれた金属粉内の電流となり機械振動に変換される磁場を取り出し、これが圧電素子機能であって、これによって過剰電子の電磁汚染を除去し、内部物質または可動部品内部に沈滞させ、これによって効率および機械および管理コンピュータ、ＰＣ並びに特に視聴世界、また食料品業界および一般工業の技術的、機械的および電気的性能レベルを増加させることを特徴とする、前記方法。
【請求項４】
ｅＣＲＴ電子素子または部品であって、３つの機能が自然に相互連結されており、１−銅、またはアルミニウムの様な金属粉によって得られる磁場を、非限定的例として、これらの粉の濃度および／または変換された磁場を取り出すことを可能とする磁気ループを形成する１つまたは複数の電気的微小コイルに依存して取り出し、２−電気的情報電流を形成する電子、珪素、種々の石英で形成された複雑な圧電素子ペースト内に埋め込まれた粉末またはループ、３−電気量を機械的動きに変換し、種々の電気的、機械的または化学的な動的活動の結果生じる磁場を除去し、これにより気化作用の結果生じる大気中の電磁気的および化学的汚染を除去し、非限定的例として挙げられるように、一般的に機械の効率を増大させることを特徴とする、前記ｅＣＲＴ電子素子または部品。
【請求項５】
請求項４記載のｅＣＲＴ電子素子または部品であって、その音響分野における使用であって、例えば５０グラムの少なくとも１つのｅＣＲＴ電子質量を拡声器の前面に設置し、これはコイルによって失われる磁気音響情報によるその調和振動損失の音響を強調する、このアプリケーションはｅＣＲＴ電子部品の全ての技術を浮き彫りにしており、音響効率を３ｄＢ以上、失われた音調を通して音の豊かさを与えつつ増加させることを特徴とする、前記ｅＣＲＴ電子素子または部品。
【請求項６】
請求項４記載のｅＣＲＴ電子素子または部品であって、機械分野における使用であって、いくつかの非限定的実施例を挙げると、エンジン、ギアボックスまたは動力軸のケーシング上に貼り付けられた５０，１００または２００グラムの質量を設置し、機械的効率を増加させ潤滑油の消耗を減らすように磁気量を除去することを可能とする。
【請求項７】
請求項４記載のｅＣＲＴ電子素子または部品であって、電気分野における使用であって、複雑な電流の交流動作に起因する逆起電力を調整し、クロストークの様な電磁気的および電気的汚染が５０から１００グラムの質量のｅＣＲＴ電子部品を装置の電源上に設置することによって除去され、電子式コンピュータ管理の分野での性能レベルを与え、視聴分野では画像に対してより高い鮮明度とコントラストを与えて画素を復元することを特徴とする、前記ｅＣＲＴ電子素子または部品。
【請求項８】
請求項４記載のｅＣＲＴ電子素子または部品であって、食料品における使用で味覚を強化する状況であって、その味覚、特に酸性度を変化させる滞留電子を除去するために、非限定的例としてｅＣＲＴ電子部品質量をワインまたはフルーツジュースのガラス瓶の近くまたはそれに対して設置することを特徴とする、前記ｅＣＲＴ電子素子または部品。
【請求項９】
請求項４記載のｅＣＲＴ電子素子または部品であって、長く生き延びらせるための切り花での使用を特徴とする、前記ｅＣＲＴ電子素子または部品。
【請求項１０】
請求項４記載のｅＣＲＴ電子素子または部品であって、流体、気体、摩擦および分極分野における使用であって、此処において例えば船舶の船首と船尾または航空機の右翼と左翼の電線接続が、それらの電子流れを取り出し、またはそれらの表面極性を安定化させることを特徴とする、前記ｅＣＲＴ電子素子または部品。
【請求項１１】
請求項４記載のｅＣＲＴ電子素子または部品であって、自動車の車輪上での使用であって、リム上に設置された２つの対称に埋め込まれた素子を通して、車輪の平衡を保つために不平衡状態を補正することを特徴とする、前記ｅＣＲＴ電子素子または部品。
【発明の詳細な説明】
【技術分野】
【０００１】
電子部品は機械的効率、可視聴効果および食品を修正するために電子的再平衡（rebalancing）を使用する。
【０００２】
本国際特許出願は過去３年間に渡って実施された仕事を統合するものであり、それらは特許出願、Ｎｏ．１「活性電子の管理」、Ｎｏ：PCT/FR2006/001253およびＮｏ．２「空気力学的効果の境界層低減」Ｎｏ：PCT/FR2007/001353の主題であり、これらに対し本出願人は本出願に対する先行優先権を主張し、本電子部品内で相互連結される３つの同時作用（simultaneous activities）に基づく、ｅＣＲＴと呼ばれる電子部品の機能の一般性に対して特許権を主張する。
【０００３】
特許１および２の２つの本文は電子部品の方法に言及しており、これは磁気量を機械的振動に変換して除去する圧電部品内に含まれる金属材料を通して、磁気量を吸収することを含む。
【０００４】
Ｎｏ．１：は、磁場の自己誘導を加速する微小誘導子（mini-inductor）で増大された、導電体の周辺または電気回路上を流れる放射または電磁電流を吸収する。導電体は関連する圧電物質内への侵入を通して、その磁気汚染にさらされるので、情報または電力電流が動作中の電気回路の中で再び清浄化される。
【０００５】
Ｎｏ．２：は同一であるが外部機能であって、これは金属充填材料で吸収される磁気量を清浄化する。圧電素子の中に銅、金、鉄または金属粉を導入することによって、磁気量を電気量に変換することを可能とし、これは直ちに機械的運動に変換される。金属は数回巻きの小さなコイル形状として、放射磁場を拾い上げそれを電流に変換するようにできる。我々は金属またはアルミニウム粉で仕事を行ってきた経験を通して、濃度に応じて、粉末またはループの中に得られた電気量を介したより強いまたは弱い強度の圧電活動を記録する。粉末による小型コイル（mini coil）はそれらの効果を最適にすることが可能である。しかしながら、ひとつのコイルは特定の周波数および強度を必要とする。或る特定の密度、圧電ペーストの混合濃度を具備した粉末は、多くの周波数および強度で更に多くの電流を、特別に調整することなく受けることが可能である。粉末は電子部品の周辺で動作する全ての磁気量に対して感度の高い全体的な効果を、特定的ではないが一般的にアプリケーション分野に応じて更に感度を上げて得ることが可能である。
【０００６】
２つの技術は弱い連結のエネルギー、およびファン・デル・ワールス双分極、並びにラプラス、ヘルツ、ローレンツ、ガウス、マクッスウェルおよびファラディー則を参照している。
【０００７】
これらのアプリケーションはｅＣＲＴ部品で取り扱われる複数のアプリケーションを具備した１つの製品を示しており、その一般的アプリケーションの非網羅的リストが以下に提示されている。
【０００８】
第１アプリケーション事例は、音響に応用された特定事例である。スピーカの磁気損失はコイル内の音響効率の損失であり、これを我々は失われた膜の機械的振動を通して音響活動として復元し、振動は本方法により回復される。
【０００９】
電気分野における第２の、一般的アプリケーション事例は、ＣＥＭＦまたは電気的または電磁気的外乱の生成により重畳された（superimposed）電磁気的障害を撲滅することである。
【００１０】
第３アプリケーション事例は化学変化を促進するために、流体または気体中の磁気量を取り除くことである。これらの磁気量は摩擦または圧力変動を受けた物質によって増加され、理想的化学量論から離れる傾向を作り出し、これは正しい化学反応を妨げまた交換不平衡を持ち込み、その結果気化中に更に多量のＮＯＸ酸性度または粒子を与える。ｅＣＲＴ部品での測定結果は、少なくとも１５％のＣＯ２削減、また２０％およびそれ以上のＮＯＸ削減を示している。
【００１１】
この事例はまた多かれ少なかれ、空気の様な流体成分と飛行機のような固体との強い粘着、またはボートの船体と水との摩擦をも範囲に含み、その吸引力は削減されまたは増大されるので、同時に減速効果または摩擦を低減する。このアプリケーションは航空機翼上の層流またはボートの船体上の摩擦力に直接関係し、此処でｅＣＲＴ電子部品は飛行機またはボートの移動速度によって引き起こされる電気量または電磁量を活性化しまたは放電するが、これは空気または水に対する移動媒体へ適用することにより行われる。
【００１２】
第４のアプリケーション事例は、ケーシングまたは、例えば歯車または誘導電流を生成するバーロウ・ホイール（Barlow wheel）のごとく挙動する可動部品内の水の様な液体の油の摩擦（friction of oils of liquids such as water）に起因する磁気量の吸収である。ｅＣＲＴ電子部品は使用されている油の摩耗を低減する。機械分野に於けるアプリケーションは重要である。
【００１３】
気化爆発に基づく激烈な化学反応は電磁量を生成し、これは取り除かれなければならない。
【００１４】
第５のアプリケーション事例は、物質本来の性質であって、物質内部の微細電子構造を変化させる物質の変形によるものである。これは一般化された、しかしながら弱い圧電物質と類似の反応を、電子および過渡電流の循環を通して示し、その証は排気マフラーおよびサスペンションの接地ブレードである。ギアボックスの反応性が異なることは、雑音の軽減およびギア切り替えの迅速化として証明される。これらのアプリケーションは、エンジン、動力車軸、ギアボックスの筐体の上に貼り付けられたｅＣＲＴ電子部品で実現される。先端から後部まで電線で連結されたｅＣＲＴをスキーに装着すると、ｅＣＲＴ電子部品はスキーの弾性の動的挙動を変化させる。実際、物質の弾性機械応力の張力差は電流を生成し、これらは再編成され、ｅＣＲＴ電子部品で集積される。
【００１５】
例として挙げたアプリケーションのこれら全ての非限定的な欠点は知られており、種々の領域で指摘されているが、その流れの改善方法および管理は、本発明のｅＣＲＴ電子部品の技術によって解決され管理されていて、これは線形二次元的ビジョン（linear binary vision）を離れて、ホログラフィックな三次元的ビジョン（holographic ternary vision）に向かうものである。此処で述べた実際例は、現在の知識および測定結果に鑑みてｅＣＲＴ電子部品の有効性を示すものである。機械的または電気的効率は有効性の損失を有し、その主たる駆動要因のひとつが磁気量と我々が考慮に入れている不活性物質内の電子の増大との相互作用力であり、機械の効率と快適性を改善し磁気および環境汚染を軽減する。
【００１６】
ｅＣＲＴ電子部品は調整器であって、これはエントロピーの様に、磁気量と電気量の情報の自然平衡の交換を調整する。この平衡は必然的に空気を清浄にし、装置廻りまたは好ましからざる電子を増加させる不活性生成物内の過剰磁気量は、金属構成部品のトラップによって吸収され、吸着され、片付けられる。ナノ技術は圧電素子に与えられ振動となり、電流に変換される磁場の移動を可視化出来るようにする。これらの機能は全て自然現象であるが、一緒に組み合わされると、この方法に特有の新規な機能を作り出す。ナノ技術のこのビジョンは好適な尺度で見通すことを通して、大規模な目に見えないソリューションの解決を可能とする。
【００１７】
ｅＣＲＴ電子部品の大気空間に於ける音響分野でのアプリケーションは、ピエゾ電流で回復される音響−磁気損失の最も優れた実証であり、金属粉が付加されることにより、磁場を瞬時に感知しその磁気情報を音響変調に従って電流に変換する。この音響電気変換、ピエゾ電気の過渡変化は、最初はコイルで失われる音響の可聴機械的振動に変換される。
【００１８】
失われた調和振動（harmonic）は復元される。このｅＣＲＴ部品素子は電気音響スピーカの前面に設置される際に、磁気損失で失われた音響の知覚を回復させ、音響効率に影響を与える。調和振動は実時間で戻されるが、それはピエゾ電気は機械的な慣性を持たず、情報を実時間で再変換するからである。全体の音響は音響パワーとして６から７ｄＢだけ豊かさ、調和音のすばらしさを保ちながら増加し、直接的で自然な試聴を妨げるものではない。（without precedent in direct natural listening.）ｅＣＲＴ部品はまた電磁自己誘導から直接引き起こされるクロストークをも低減する。
【００１９】
１９６０年代からのTeppaz を思い起こすことは価値の有ることであって、これはそのダイアモンド針、その圧電セル、でビニル円盤から波形を取り出し、音響を配信することに革命を引き起こした。この最初の圧電アプリケーションは振動の電流への機械的転位であった。我々の事例は逆の用法を表しており、全く物理的または機械的励起を必要とすることなく、磁束が環流する部品上の金属粉または金属ループにより遠隔的に取り出された磁気量を通して電流を得る。この様にして取り出された電流は圧電素子を振動させる。素子または「ｅＣＲＴ電子部品」は質量（mass）と数量（quantity）を有し、これは空間性および音響上の要求に基づき、当業技術者によって決定される。
【００２０】
これら３つの機能およびこれら３つの作用（action）；
１−金属ループおよび／または金属粉により取り出される磁場；
２−電流に変換される磁場、
３−圧電素子により機械的振動に変換される電流。
これら３つの段階（phase）はｅＣＲＴ電子部品を特徴付ける：その機能は瞬時、同時そして自然である。
【００２１】
この電子部品は、１電子式、２電磁式および３機械式の情報の異なる次元への３つの変換を処理できる新世代である。
【００２２】
これらのアプリケーションはその構造、機能を通して、機械系および電子系、動的局面および食品系全ての分野に関係し、これらの例に制限されるものではない。
【００２３】
これらの機能は機械的振動および電気的リップル性能のサーボ制御、並びに電気の使用、機械、固体、液体および気体の使用から起因する。同じように関係があるのは機械系および移送または変換される物体の積極的関与であり、それはこれらが受動的電荷量の貯蔵所だからである。全ての工業的エンジニアリングは機械的または電気的作用により引きおこされるかまたは、停滞待機状態にある電子の環流により影響を受ける。全ての生産された製品は過剰な磁気汚染によって影響され、例えば繊維は他の工業分野同様に高電圧を与える。食料製品も影響され、これは味の変化として現れ、特に酸性度が影響を受ける。
【００２４】
ファラデイ（Faraday）の法則の実証として、ｅＣＲＴ技術の信頼性が示される：アルミニウム製のビールまたはコカコーラの缶ではｅＣＲＴは何も変化させない。一方、硝子ビンのビール、ワインまたはコカコーラの場合、その製品の味、色および時には流動性を変化させる過剰な電磁量を除去することにより、真に最適化される。
【００２５】
この技術はｅＣＲＴと呼ばれるが、それは３つの機能が電子部品によって情報の瞬時サーボ制御を可能とするからである。これは統合的かつ瞬時に動作し働く多数の機能に基づく実時間で動作する構成部品であり、言葉を変えると実時間“T0”で実行され、これは基本的な革新である。この技術は、電気的機能変数に基づいてのみ動作するマイクロプロセッサ技術を補完し、それはその機能に加えてムーアの法則（Moore's law）が二次元平面に残り、瞬時にアクセスすることが出来ず、過去“T-1”に残る技術である。
【００２６】
ｅＣＲＴ構成部品の技術および方法は工業世界、コンピュータおよび視聴分野の顧客世界での瞬時アプリケーションを開拓する。画像分野において、ＣＥＭＦが存在しないことは、ｅＣＲＴを充電器の電源供給線上に、また続いてコンピュータおよびプリンタの電源上に設置することを通して、電子が常に電磁的雲を伴うことなく利用できることを意味する。これらのようにｅＣＲＴを配列することにより歪みが大きく削減され、これまで得られることの無かった輝度および鮮明度品質を与える。画素数は重要ではない；例えばｅＣＲＴ構成部品を具備した５百万画素の写真は、ｅＣＲＴ構成部品を具備していない一千万画素の写真よりも良好である。画素は写真を撮られた実体を更に正確に反映する別の情報によって配置されている。
【００２７】
交流電流の使用を含む領域では、電磁妨害を除去するために直接的に影響される。
【００２８】
ＣＥＭＦ、または逆起電力は反対位相に電流を生成し、これは電気的条件、しかしながらまた機械的条件に関して初期の電気情報を汚染し、外乱を与える。実際、機械的条件ではバーロウ車輪モデル（Barlow wheel model）に依れば、機械部品の動きは強要された動きの回転の逆向きに自己誘導電流を生じる。圧電素子は刺激の下に反応して電流または電子を、物質に加えられた圧力または変形の結果発生させることを示してきたが、これは極端な例ではなく、一般的により小さな電子を放出する全ての機械系に拡張されるが、車の車体または機械的変形を受けるバネの様な大きな質量に関しては、これは深刻な事態となり考慮に入れるべきものとなる。製造者は大量生産に格下げされ、エネルギーは常に更新され、これは技術に関し、効率に対してかなりの影響を有する全世界的エネルギーの管理にとって重要なものとなってきている。接地配線接続は、繊維工業に於ける工業機械、機械加工機械または自動車、船舶、航空機のいずれに関わらず、除去されるべき電流が循環されることを示している。これらの電流は導電性部品の上を循環するが、非導電性部品の上には沈滞して蓄積され、これらは電子貯蔵所となる。これは小規模に関しては、トランジスタおよび半導体が作り出された方法である。
【００２９】
大規模に関しても同様のことが適用され、それがこれらのエネルギーをｅＣＲＴ部品で変換管理する目的であり、そのアプリケーションが種々の国際特許出願１および２に示されている。
【００３０】
場、経路および電流は基本的に電気としてリンクされているので、結果として生じる磁場は、確実に電気回路と相互作用し、これは複雑な位相をコンピュータ上に、また全ての電気機械の上に自己誘導を生じる。光ファイバーにはこの様な欠点は無く、外乱を受けることなく信号の一貫性を通して情報を完全に伝送し、これは電流の場合にはあり得ないがそれはこのＣＥＭＦ外乱が位相変調を通して行われる為である。ＡＢＢによる直流電流としての電流移送では、安定方向での磁場放射は非常に微弱であることを示している。交流電流または向きおよび強度を変化させる電流は、空気中または水中または地中に磁気汚染の全ての痕跡をもたらし、これはＥＤＦに対して多くの問題を与える。
【００３１】
従って電子の流れ方向の動的な変化は磁気汚染の原因となる。これらの磁場を圧電素子変換を通して除去することにより、回路は電流の変化の電子効果を使用する際に本来備わっているこの汚染から清浄化される。
【００３２】
ｅＣＲＴ部品製品は、銅または金の粉または、アプリケーションに基づいて濃度が調整された金属の粉が挿入された異なる種類の種々の石英結晶に基づく複雑な圧電部品である。数巻きのコイルを通る磁気ループは、有用な特定周波数に調整することが可能であり、これはまた圧電素子ペーストの中に浸されている。
【００３３】
製品の質量は吸収されるべき磁気量または得られるべき音響効果に依存する。当業者は利用可能な質量が４０から１００グラムあれば、音響用に拡声器またはスピーカの前面に取り付け、コイルに近接しグリルの前にあって、磁気洩れを回収し空気媒体の中に音響を拡散させることが出来る。
【００３４】
自動車、バス、トラックまたは機械の分野において、ｅＣＲＴ部品の塊はケーシングに貼り付けられている。その質量は５０，１００から２００グラム以上である。
【００３５】
帰化に関して、ｅＣＲＴは化学量論の最適化を意味し、ｅＣＲＴ部品パッドがエアフィルタ吸気の前に設置されている。
【００３６】
電気の分野において、電子部品パッドが放射場を調節するケーブルに直接貼り付けられている。
【００３７】
食料品において、輸送中に蓄積される磁気量の過剰電子を除去するために部品はワインまたはフルーツジュースのガラス瓶に設置される。これに関連して、ワイン製造者はそれらを改善できない有害な効果だと認めてきていたが、現在は行なわれた行為である。切り花でのアプリケーションでは、１つまたは複数のｅＣＲＴ電子部品を水中に入れておくことにより、花の寿命が著しく延び、水も清浄が保たれ長期間、少なくとも１週間は清らかである。
【００３８】
航空機または船舶またはブレーキに関しては、補正されるべき電気分極は圧電素子内に組み込まれたコイルを具備したｅＣＲＴ部品で調整され、除去されるべき電子の流れを導いている。数回巻きの１つまたは複数の単純なコイルを数ユニットから１０の単位を、当業者が製造できる非限定的例として、航空機の翼端の右から左または船舶の船首から船尾へ、取り出して除去されるべき電子の流れの間に電圧が生成されるポイントで、表面分極が安定化されなければならない部分に電線で接続することが挙げられる。この問題は航空学では翼の後部に設置されたアンテナ素子を通して、飛行中に航空機上に絶えず生成される電磁電圧を除去するために知られている。ｅＣＲＴ電子部品が具備されたブレーキでは、制動距離が乗用車、バスまたはトラックで２０％から５０％以上も低減されることが観測された。航空機において、上昇速度は少なくとも１０から１５％直ちに改善され、燃料消費は少なくとも１５％削減され、かつ振動も大幅に低減された、これは機体の耐用年数および乗客の安全にとって非常に重要である。
【００３９】
物質内部の電子の流れに関する説明：
【００４０】
不均衡状態は車輪の上に応力を生成する。例えば、補正質量を追加することは不均衡状態の増加を意味し、従って電子的補正負荷が増大しこの変形に対して対抗する。物質はその初期安定状態を好む。この基本記憶がその基準点であり、或る種の情報が強要された動きに対して反抗する。
【００４１】
電子に基づく事柄はラプラスの法則に従い、これは物質内部に逆起電力を確立し、これが変形に反抗する電子の流れを生成する。
【００４２】
従って、我々の車両上において、我々は補正質量を取り除き２つの４０グラムのｅＣＲＴ部品を車輪の上に対称に設置することで振動は無くなる。動いている乗用車の車輪上で使用する際に、リム上に設置された２つの対称に埋め込まれた素子は不均衡状態を補正し、車輪の均衡を保つことを可能とする。